【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
無線通信システムにおける端末によって実行される方法であって、
基地局から、複数の論理チャネルのうちの第１の論理チャネルのデータが第１のタイプの構成済み周期的許可を使用して送信されることが許可されることを指示するパラメータ、前記第１のタイプの構成済み周期的許可によって割り当てられるリソースを識別するためのタイミングオフセット及び開始シンボルに対する情報、及び前記第１のタイプの構成済み周期的許可の第１の周期性を含む、第１の無線リソース制御（radio resource control：ＲＲＣ）メッセージを受信するステップと、
前記受信された第１のＲＲＣメッセージに基づいて、前記第１のタイプの構成済み周期的許可をアクティブ化するステップと、
前記第１の論理チャネルのデータを１つ以上のトランスポートブロックに多重化するステップと、
前記基地局に、前記アクティブ化された第１のタイプの構成済み周期的許可に基づいて、前記１つ以上のトランスポートブロックを送信するステップを含む、前記方法。
【請求項２】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項１に記載の前記方法。
【請求項３】
前記タイミングオフセット、前記開始シンボルに対する情報、及び前記第１の周期性に基づいて前記第１のタイプの構成済み周期的許可の１つ以上のシンボルを識別するステップをさらに含む、請求項１に記載の前記方法。
【請求項４】
前記基地局から、物理ダウンリンク制御チャネル（physical downlink control channel：ＰＤＣＣＨ）によって提供される、第２のタイプの構成済み周期的許可の第２の周期性を含む第２のＲＲＣメッセージを受信するステップと、
前記基地局から、アップリンク許可に対するダウンリンク制御情報（downlink control information：ＤＣＩ）を受信するステップと、
前記受信されたＤＣＩに基づいて、前記ＤＣＩに基づいて割り当てられる第２のシンボルから開始される他のリソース割り当てに使用される前記第２のタイプの構成済み周期的許可をアクティブ化するステップと、
前記基地局に、前記アクティブ化された前記第２のタイプの構成済み周期的許可に基づいて、１つ以上の第２のトランスポートブロックを送信するステップと、をさらに含み、
前記他のリソース割り当ては、前記第２の周期性で再発される請求項１に記載の前記方法。
【請求項５】
前記ＤＣＩ及び第２の周期性に基づいて、前記第２のタイプの構成済み周期的許可の１つ以上のシンボルを識別するステップをさらに含む請求項４に記載の前記方法。
【請求項６】
前記第１のＲＲＣメッセージ及び第２のＲＲＣメッセージは、同一のメッセージフォーマットを使用して受信される請求項４に記載の前記方法。
【請求項７】
前記基地局から、前記第１のタイプの構成済み周期的許可の解放を指示する第３のＲＲＣメッセージを受信するステップと、
前記受信された第３のＲＲＣメッセージに基づいて、前記第１のタイプの構成済み周期的許可を解放するステップをさらに含む請求項１に記載の前記方法。
【請求項８】
前記第１のＲＲＣメッセージは、前記第１の論理チャネルが属している論理チャネルグループの識別子（identifier：ＩＤ）をさらに含み、
前記タイミングオフセットは、システムフレーム番号に関連付けられ、及び、
前記システムフレーム番号は、０である請求項１に記載の前記方法。
【請求項９】
無線通信システムにおける基地局によって実行される方法であって、
端末に、複数の論理チャネルのうちの第１の論理チャネルのデータが第１のタイプの構成済み周期的許可を使用して送信されることが許可されることを指示するパラメータ、前記第１のタイプの構成済み周期的許可によって割り当てられるリソースを識別するためのタイミングオフセット及び開始シンボルに対する情報、及び前記第１のタイプの構成済み周期的許可の第１の周期性を含む、第１の無線リソース制御（radio resource control：ＲＲＣ）メッセージを送信するステップと、
前記送信された第１のＲＲＣメッセージに基づいて、前記第１のタイプの構成済み周期的許可をアクティブ化するステップと、
前記端末から、前記第１のタイプの構成済み周期的許可によって割り当てられるリソースに基づいて、１つ以上のトランスポートブロックを受信するステップと、
前記１つ以上のトランスポートブロックを前記第１の論理チャネルのデータに逆多重化するステップと、を含む前記方法。
【請求項１０】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項９に記載の前記方法。
【請求項１１】
前記第１のＲＲＣメッセージは、前記第１の論理チャネルが属している論理チャネルグループの識別子（identifier：ＩＤ）をさらに含み、
前記タイミングオフセットは、システムフレーム番号に関連付けられ、及び、
前記システムフレーム番号は、０である請求項９に記載の前記方法。
【請求項１２】
無線通信システムにおける端末によって実行される方法であって、
基地局から、第１のタイプの構成済み周期的許可のリソースを識別するためのタイミングオフセット及び開始シンボルに対する情報、前記第１のタイプの構成済み周期的許可の第１の周期性、及び前記第１のタイプの構成済み周期的許可の復調基準信号パラメータを含む、第１のメッセージを受信するステップと、
前記タイミングオフセット、前記開始シンボルに対する情報、及び前記第１の周期性に基づいて前記第１のタイプの構成済み周期的許可のリソースに関連付けられる１つ以上のシンボルを識別するステップと、
前記復調基準信号のパラメータに基づいて、前記第１のタイプの構成済み周期的許可のリソースに関連付けられる１つ以上のシンボルを介して前記基地局に１つ以上のトランスポートブロックを送信するステップと、を含む前記方法。
【請求項１３】
前記受信された第１のメッセージに基づいて、前記第１のタイプの構成済み周期的許可をアクティブ化するステップをさらに含む請求項１２に記載の前記方法。
【請求項１４】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項１２に記載の前記方法。
【請求項１５】
前記基地局から、前記第１のタイプの構成済み周期的許可の解放を指示する第２のメッセージを受信するステップと、
前記受信された第２のメッセージに基づいて、前記第１のタイプの構成済み周期的許可を解放するステップをさらに含む請求項１２に記載の前記方法。
【請求項１６】
前記基地局から、第２のタイプの構成済み周期的許可の第２の周期性を含む第３のメッセージを受信するステップと、
前記基地局から、アップリンク許可に対するダウンリンク制御情報（downlink control information：ＤＣＩ）を受信するステップと、
前記受信されたＤＣＩに基づいて、前記ＤＣＩに基づいて割り当てられる第２のシンボルから開始される他のリソース割り当てのために使用される前記第２のタイプの構成済み周期的許可をアクティブ化するステップと、
前記ＤＣＩ及び第２の周期性に基づいて、前記第２のタイプの構成済み周期的許可のリソースに関連付けられる１つ以上のシンボルを識別するステップと、
前記第２のタイプの構成済み周期的許可のリソースに関連付けられる１つ以上のシンボルを介して前記基地局に一つ以上の他のトランスポートブロックを送信するステップをさらに含み、
前記他のリソース割り当ては、前記第２の周期性で再発される請求項１２に記載の前記方法。
【請求項１７】
無線通信システムにおける基地局によって実行される方法であって、
端末に、第１のタイプの構成済み周期的許可のリソースを識別するためのタイミングオフセット及び開始シンボルに対する情報、前記第１のタイプの構成済み周期的許可の第１の周期性、及び前記第１のタイプの構成済み周期的許可の復調基準信号パラメータを含む、第１のメッセージを送信するステップと、
前記タイミングオフセット、前記開始シンボルに対する情報、及び前記第１の周期性に基づいて前記第１のタイプの構成済み周期的許可のリソースに関連付けられる１つ以上のシンボルを識別するステップと、
前記復調基準信号のパラメータに基づいて、前記第１のタイプの構成済み周期的許可のリソースに関連付けられる１つ以上のシンボルを介して前記端末から１つ以上のトランスポートブロックを受信するステップと、を含む前記方法。
【請求項１８】
前記受信された第１のメッセージに基づいて、前記第１のタイプの構成済み周期的許可をアクティブ化するステップをさらに含む請求項１７に記載の前記方法。
【請求項１９】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項１７に記載の前記方法。
【請求項２０】
前記端末に、前記第１のタイプの構成済み周期的許可の解放を指示する第２のメッセージを送信するステップをさらに含む請求項１７に記載の前記方法。
【請求項２１】
前記端末に、第２のタイプの構成済み周期的許可の第２の周期性を含む第３のメッセージを送信するステップと、
前記端末に、アップリンク許可に対するダウンリンク制御情報（downlink control information：ＤＣＩ）を送信するステップと、
前記送信されたＤＣＩに基づいて、前記ＤＣＩに基づいて割り当てられる第２のシンボルから開始される他のリソース割り当てのために使用される前記第２のタイプの構成済み周期的許可をアクティブ化するステップと、
前記ＤＣＩ及び第２の周期性に基づいて前記第２のタイプの構成済み周期的許可のリソースに関連付けられる１つ以上のシンボルを識別するステップと、
前記第２のタイプの構成済み周期的許可のリソースに関連付けられる１つ以上のシンボルを介して前記端末から一つ以上の他のトランスポートブロックを受信するステップをさらに含み、
前記他のリソース割り当ては、前記第２の周期性で再発される請求項１７に記載の前記方法。
【請求項２２】
無線通信システムにおける端末であって、
トランシーバと、
コントローラと、を含み、
前記コントローラは、
前記トランシーバを介して基地局から、複数の論理チャネルのうちの第１の論理チャネルのデータが第１のタイプの構成済み周期的許可を使用して送信されることが許可されることを指示するパラメータ、前記第１のタイプの構成済み周期的許可によって割り当てられるリソースを識別するためのタイミングオフセット及び開始シンボルに対する情報、及び前記第１のタイプの構成済み周期的許可の第１の周期性を含む、第１の無線リソース制御（radio resource control：ＲＲＣ）メッセージを受信し、
前記受信された第１のＲＲＣメッセージに基づいて、前記第１のタイプの構成済み周期的許可をアクティブ化し、
前記第１の論理チャネルのデータを１つ以上のトランスポートブロックに多重化し、
前記トランシーバを介して前記基地局に、前記アクティブ化された第１のタイプの構成済み周期的許可に基づいて、前記１つ以上のトランスポートブロックを送信するように構成される前記端末。
【請求項２３】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項２２に記載の前記端末。
【請求項２４】
前記コントローラは、前記タイミングオフセット、前記開始シンボルに対する情報、及び前記第１の周期性に基づいて前記第１のタイプの構成済み周期的許可の１つ以上のシンボルを識別するように、さらに構成される請求項２２に記載の前記端末。
【請求項２５】
前記コントローラは、
前記トランシーバを介して前記基地局から、物理ダウンリンク制御チャネル（physical downlink control channel：ＰＤＣＣＨ）によって提供される、第２のタイプの構成済み周期的許可の第２の周期性を含む第２のＲＲＣメッセージを受信し、
前記トランシーバを介して前記基地局から、アップリンク許可に対するダウンリンク制御情報（downlink control information：ＤＣＩ）を受信し、
前記受信されたＤＣＩに基づいて、前記ＤＣＩに基づいて割り当てられる第２のシンボルから開始される他のリソース割り当てに使用される前記第２のタイプの構成済み周期的許可をアクティブ化し、及び、
前記トランシーバを介して前記基地局に、前記アクティブ化された前記第２のタイプの構成済み周期的許可に基づいて、１つ以上の第２のトランスポートブロックを送信するように、さらに構成され、
前記他のリソース割り当ては、前記第２の周期性で再発される請求項２２に記載の前記端末。
【請求項２６】
前記コントローラは、前記ＤＣＩ及び第２の周期性に基づいて、前記第２のタイプの構成済み周期的許可の１つ以上のシンボルを識別するように、さらに構成される請求項２５に記載の前記端末。
【請求項２７】
前記第１のＲＲＣメッセージ及び第２のＲＲＣメッセージは、同一のメッセージフォーマットを使用して受信される請求項２５に記載の前記端末。
【請求項２８】
前記コントローラは、
前記トランシーバを介して前記基地局から、前記第１のタイプの構成済み周期的許可の解放を指示する第３のＲＲＣメッセージを受信し、
前記受信された第３のＲＲＣメッセージに基づいて、前記第１のタイプの構成済み周期的許可を解放するように、さらに構成される請求項２２に記載の前記端末。
【請求項２９】
前記第１のＲＲＣメッセージは、前記第１の論理チャネルが属している論理チャネルグループの識別子（identifier：ＩＤ）をさらに含み、
前記タイミングオフセットは、システムフレーム番号に関連付けられ、及び、
前記システムフレーム番号は、０である請求項２２に記載の前記端末。
【請求項３０】
無線通信システムにおける基地局であって、
トランシーバと、
コントローラと、を含み、
前記コントローラは、
前記トランシーバを介して端末に、複数の論理チャネルのうちの第１の論理チャネルのデータが第１のタイプの構成済み周期的許可を使用して送信されることが許可されることを指示するパラメータ、前記第１のタイプの構成済み周期的許可によって割り当てられるリソースを識別するためのタイミングオフセット及び開始シンボルに対する情報、及び前記第１のタイプの構成済み周期的許可の第１の周期性を含む、第１の無線リソース制御（radio resource control：ＲＲＣ）メッセージを送信し、
前記送信された第１のＲＲＣメッセージに基づいて、前記第１のタイプの構成済み周期的許可をアクティブ化し、
前記トランシーバを介して前記端末から、前記第１のタイプの構成済み周期的許可によって割り当てられるリソースに基づいて、１つ以上のトランスポートブロックを受信し、及び、
前記１つ以上のトランスポートブロックを前記第１の論理チャネルのデータに逆多重化するように設定される前記基地局。
【請求項３１】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項３０に記載の前記基地局。
【請求項３２】
前記第１のＲＲＣメッセージは、前記第１の論理チャネルが属している論理チャネルグループの識別子（identifier：ＩＤ）をさらに含み、
前記タイミングオフセットは、システムフレーム番号に関連付けられ、及び、
前記システムフレーム番号は、０である請求項３０に記載の前記基地局。
【請求項３３】
無線通信システムにおける端末であって、
トランシーバと、
コントローラと、を含み、
前記コントローラは、
前記トランシーバを介して基地局から、第１のタイプの構成済み周期的許可のリソースを識別するためのタイミングオフセット及び開始シンボルに対する情報、前記第１のタイプの構成済み周期的許可の第１の周期性、及び前記第１のタイプの構成済み周期的許可の復調基準信号のパラメータを含む、第１のメッセージを受信し、
前記タイミングオフセット、前記開始シンボルに対する情報、及び前記第１の周期性に基づいて前記第１のタイプの構成済み周期的許可のリソースに関連付けられる１つ以上のシンボルを識別し、及び、
前記トランシーバを介して、前記復調基準信号のパラメータに基づいて、前記第１のタイプの構成済み周期的許可のリソースに関連付けられる１つ以上のシンボルを介して前記基地局に１つ以上のトランスポートブロックを送信するように構成される前記端末。
【請求項３４】
前記コントローラは、前記受信された第１のメッセージに基づいて、前記第１のタイプの構成済み周期的許可をアクティブ化するように、さらに構成される請求項３３に記載の前記端末。
【請求項３５】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項３３に記載の前記端末。
【請求項３６】
前記コントローラは、
前記トランシーバを介して前記基地局から、前記第１のタイプの構成済み周期的許可の解放を指示する第２のメッセージを受信し、及び、
前記受信された第２のメッセージに基づいて、前記第１のタイプの構成済み周期的許可を解放するように、さらに構成される請求項３３に記載の前記端末。
【請求項３７】
前記コントローラは、
前記トランシーバを介して前記基地局から、第２のタイプの構成済み周期的許可の第２の周期性を含む第３のメッセージを受信し、
前記トランシーバを介して前記基地局から、アップリンク許可に対するダウンリンク制御情報（downlink control information：ＤＣＩ）を受信し、
前記受信されたＤＣＩに基づいて、前記ＤＣＩに基づいて割り当てられる第２のシンボルから開始される他のリソース割り当てのために使用される前記第２のタイプの構成済み周期的許可をアクティブ化し、
前記ＤＣＩ及び第２の周期性に基づいて前記第２のタイプの構成済み周期的許可のリソースに関連付けられる１つ以上のシンボルを識別し、及び、
前記トランシーバを介して前記第２のタイプの構成済み周期的許可のリソースに関連付けられる１つ以上のシンボルを介して前記基地局に一つ以上の他のトランスポートブロックを送信するように、さらに構成され、
前記他のリソース割り当ては、前記第２の周期性で再発される請求項３３に記載の前記端末。
【請求項３８】
無線通信システムにおける基地局であって、
トランシーバと、
コントローラと、を含み、
前記コントローラは、
前記トランシーバを介して端末に、第１のタイプの構成済み周期的許可のリソースを識別するためのタイミングオフセット及び開始シンボルに対する情報、前記第１のタイプの構成済み周期的許可の第１の周期性、及び前記第１のタイプの構成済み周期的許可の復調基準信号のパラメータを含む、第１のメッセージを送信し、
前記タイミングオフセット、前記開始シンボルに対する情報、及び前記第１の周期性に基づいて前記第１のタイプの構成済み周期的許可のリソースに関連付けられる１つ以上のシンボルを識別し、及び、
前記復調基準信号のパラメータに基づいて、前記トランシーバを介して、前記第１のタイプの構成済み周期的許可のリソースに関連付けられる１つ以上のシンボルを介して前記端末から１つ以上のトランスポートブロックを受信するように構成される前記基地局。
【請求項３９】
前記コントローラは、前記受信された第１のメッセージに基づいて、前記第１のタイプの構成済み周期的許可をアクティブ化するように、さらに構成する請求項３８に記載の前記基地局。
【請求項４０】
前記第１のタイプの構成済み周期的許可は、前記タイミングオフセット及び前記開始シンボルに対する情報に基づいて割り当てられる第１のシンボルから開始されるリソース割り当てのために使用され、及び、
前記リソース割り当ては、前記第１の周期性で再発される請求項３８に記載の前記基地局。
【請求項４１】
前記コントローラは、前記トランシーバを介して前記端末に、前記第１のタイプの構成済み周期的許可の解放を指示する第２のメッセージを送信するように、さらに構成される請求項３８に記載の前記基地局。
【請求項４２】
前記コントローラは、
前記トランシーバを介して前記端末に、第２のタイプの構成済み周期的許可の第２の周期性を含む第３のメッセージを送信し、
前記トランシーバを介して前記端末に、アップリンク許可に対するダウンリンク制御情報（downlink control information：ＤＣＩ）を送信し、
前記送信されたＤＣＩに基づいて、前記ＤＣＩに基づいて割り当てられる第２のシンボルから開始される他のリソース割り当てのために使用される前記第２のタイプの構成済み周期的許可をアクティブ化し、
前記ＤＣＩ及び第２の周期性に基づいて前記第２のタイプの構成済み周期的許可のリソースに関連付けられる１つ以上のシンボルを識別し、及び、
前記トランシーバを介して前記第２のタイプの構成済み周期的許可のリソースに関連付けられる１つ以上のシンボルを介して前記端末から一つ以上の他のトランスポートブロックを受信するようにさらに構成され、
前記他のリソース割り当ては、前記第２の周期性で再発される請求項３８に記載の前記基地局。